(57)【要約】【解決課題】遠方まで届く照射光量を確保でき、かつ、被写体及びその周辺を照射することにより、撮影される画像全体の画質を向上させることができるようにする。【解決手段】ＬＥＤ６０Ａと一対のＬＥＤ６０Ｂとを備え、ＬＥＤ６０Ａから照射された光が、反射面７０Ａで反射されることなく、開口された部分を直接通るように、ＬＥＤ６０Ａがリフレクタ７０の底面の中心部に取り付けられ、ＬＥＤ６０Ｂの各々が反射面７０Ａの傾斜角に合わせて傾斜して取り付けられ、ＬＥＤ６０Ｂの各々から照射された光がリフレクタ７０の反射面７０Ａに反射され、反射光が開口された部分を通るようになっている。【選択図】図４
2007187914.tif 000002
【特許請求の範囲】
【請求項１】
面積が大きい方の底面が開口された多角錐台状又は円錐台状の内部空間が形成され、かつ、内部側面に反射面が形成されたリフレクタと、
照射された光の少なくとも一部分が前記リフレクタの反射面で反射されて、前記開口された底面から照射されるように前記リフレクタに取り付けられた第１のＬＥＤ、及び照射された光が前記反射面で反射されることなく、開口された底面から照射されるように前記リフレクタに取り付けられた第２のＬＥＤから構成されるＬＥＤ照射部と、
を含むＬＥＤ照明装置。
【請求項２】
前記第２のＬＥＤを、前記リフレクタの開口されていない底面の中心部に取り付け、
前記第１のＬＥＤを、前記第２のＬＥＤに対して点対称となる位置に一対取り付けた請求項１記載のＬＥＤ照明装置。
【請求項３】
前記第２のＬＥＤを、前記リフレクタの開口されていない底面の中心部に取り付け、
前記第１のＬＥＤを、各取り付け位置が等間隔であって、かつ、前記第２のＬＥＤに対して点対称となる位置に二対取り付けた請求項１記載のＬＥＤ照明装置。
【請求項４】
前記第１のＬＥＤを、前記リフレクタの内部側面部分に配置した請求項１〜請求項３の何れか１項記載のＬＥＤ照明装置。
【請求項５】
請求項１〜請求項４の何れか１項記載のＬＥＤ照明装置と、
被写体を撮影する撮影手段と、
を含む撮影装置。
【請求項６】
請求項１〜請求項４の何れか１項記載のＬＥＤ照明装置と、
被写体を撮影する撮影手段と、
複数の撮影モードの何れかを選択する選択手段と、
前記撮影手段によって撮影するときに、前記選択手段によって選択された撮影モードに応じて、前記第１のＬＥＤ及び前記第２のＬＥＤのうち少なくとも一つを発光させるように制御する制御手段と、
を含む撮影装置。
【請求項７】
前記複数の撮影モードは、マクロ撮影モードを含み、
前記制御手段は、前記撮影手段によって撮影するときに、前記選択手段によって前記マクロ撮影モードが選択された場合に、前記第１のＬＥＤのみ発光させるように制御する請求項６記載の撮影装置。
【請求項８】
前記撮影モードは、人物撮影モードを含み、
前記制御手段は、前記撮影手段によって撮影するときに、前記選択手段によって前記人物撮影モードが選択された場合に、前記第２のＬＥＤのみを発光させるように制御する請求項６又は７記載の撮影装置。
【発明の詳細な説明】
【技術分野】
【０００１】
本発明は、ＬＥＤ照明装置及び撮影装置に係り、特に、ＬＥＤを発光させ、照射された光をリフレクタで反射させて照射するＬＥＤ照明装置及び該ＬＥＤ照明装置を用いた撮影装置に関する。
【背景技術】
【０００２】
従来、デジタルカメラなどの撮影装置において、フラッシュ光源として、キセノンランプなどが利用されていたが、発熱や消費電力に問題があった。これに対応する技術として、ＬＥＤをフラッシュの光源にした撮影装置が利用されている。
【０００３】
しかし、ＬＥＤの照射光量では、遠方まで光が届かない場合があるため、レンズによってＬＥＤからの光を収束させて正面の光量を確保するＬＥＤフラッシュライトが知られている（特許文献１）。
【０００４】
また、複数の白色ＬＥＤを近接して設け、被写体との距離が遠距離である場合に、全ての白色ＬＥＤを発光させるようにした撮影用照明装置が知られている（特許文献２）。
【特許文献１】特表２００４−５０７０３８
【特許文献２】特開２００２−２０７２３６
【発明の開示】
【発明が解決しようとする課題】
【０００５】
しかしながら、上記の特許文献１に記載のＬＥＤフラッシュライト及び特許文献２に記載の撮影用照明装置では、正面に被写体がある場合には、ＬＥＤによって発光されるほとんど光が被写体に照射されるため、被写体が白飛びしてしまう、という問題がある。
【０００６】
本発明は上記問題点を解決するためになされたものであり、遠方まで届く照射光量を確保でき、かつ、被写体及びその周辺を照射することにより、撮影される画像全体の画質を向上させることができるＬＥＤ照明装置及び撮影装置を提供することを目的とする。
【課題を解決するための手段】
【０００７】
上記目的を達成するために、第１の発明に係るＬＥＤ照明装置は、面積が大きい方の底面が開口された多角錐台状又は円錐台状の内部空間が形成され、かつ、内部側面に反射面が形成されたリフレクタと、照射された光の少なくとも一部分が前記リフレクタの反射面で反射されて、前記開口された底面から照射されるように前記リフレクタに取り付けられた第１のＬＥＤ、及び照射された光が前記反射面で反射されることなく、開口された底面から照射されるように前記リフレクタに取り付けられた第２のＬＥＤから構成されるＬＥＤ照射部とを含んで構成されている。
【０００８】
第１の発明に係るＬＥＤ照明装置によれば、ＬＥＤ照射部の第１のＬＥＤ及び第２のＬＥＤを発光させると、第２のＬＥＤから照射された光が、反射面で反射されることなく、開口された底面から照射対象に照射される。また、第１のＬＥＤから照射された光の少なくとも一部分がリフレクタの反射面で反射されて、開口された底面から照射対象又は照射対象の周辺に拡散されて照射される。
【０００９】
従って、第１のＬＥＤと第２のＬＥＤとからなる複数のＬＥＤによって光を照射することにより、遠方まで届く照射光量を確保でき、また、第１のＬＥＤから照射された光を反射面で反射させることにより、光を拡散して照射対象の周辺にも照射させて鮮明にし、撮影される画像全体の画質を向上させることができる。
【００１０】
また、第１の発明に係る第２のＬＥＤを、リフレクタの開口されていない底面の中心部に取り付け、第１のＬＥＤを、第２のＬＥＤに対して点対称となる位置に一対取り付けることができる。これにより、第２のＬＥＤから照射された光及び第１のＬＥＤから照射された光によって、撮影される画像の中心部と中心部に対して点対称となる二つの隅の画質を向上させることができる。
【００１１】
また、第１の発明に係る第２のＬＥＤを、リフレクタの開口されていない底面の中心部に取り付け、第１のＬＥＤを、各取り付け位置が等間隔であって、かつ、第２のＬＥＤに対して点対称となる位置に二対取り付けることができる。これにより、第２のＬＥＤから照射された光及び第１のＬＥＤから照射された光によって、撮影される画像の中心部及び周辺部の画質を向上させることができる。
【００１２】
また、第１の発明に係る第１のＬＥＤを、リフレクタの内部側面部分に配置することができる。これにより、内部側面の角度に合わせて第１のＬＥＤを傾斜させて取り付けることにより、第１のＬＥＤから照射される光を反射面で反射させて拡散させることができる。
【００１３】
また、第２の発明に係る撮影装置は、上記のＬＥＤ照明装置と、被写体を撮影する撮影手段とを含んで構成されている。
【００１４】
第２の発明に係る撮影装置によれば、ＬＥＤ照明装置によって、被写体及び被写体の周辺に光を照射し、撮影手段によって被写体を撮影する。
【００１５】
従って、第１のＬＥＤと第２のＬＥＤとからなる複数のＬＥＤによって光を照射することにより、遠方まで届く照射光量を確保でき、また、第１のＬＥＤから照射された光を反射面で反射させることにより、光を拡散して被写体の周辺にも照射させることにより、被写体を撮影した画像全体の画質を向上させることができる。
【００１６】
また、第３の発明に係る撮影装置は、上記のＬＥＤ照明装置と、被写体を撮影する撮影手段と、複数の撮影モードの何れかを選択する選択手段と、前記撮影手段によって撮影するときに、前記選択手段によって選択された撮影モードに応じて、前記第１のＬＥＤ及び前記第２のＬＥＤのうち少なくとも一つを発光させるように制御する制御手段とを含んで構成されている。
【００１７】
第３の発明に係る撮影装置によれば、選択手段によって、複数の撮影モードの何れかを選択し、制御手段によって、撮影手段によって撮影するときに、選択手段によって選択された撮影モードに応じて、第１のＬＥＤ及び第２のＬＥＤのうち少なくとも一つを発光させるように制御し、第２のＬＥＤから照射された光が、反射面で反射されることなく、開口された底面から被写体に照射される。また、第１のＬＥＤから照射された光の少なくとも一部分がリフレクタの反射面で反射されて、開口された底面から被写体又は被写体の周辺に拡散されて照射され、撮影手段によって被写体を撮影する。
【００１８】
従って、第１のＬＥＤと第２のＬＥＤとからなる複数のＬＥＤによって光を照射することにより、遠方まで届く照射光量を確保でき、また、第１のＬＥＤから照射された光を反射面で反射させることにより、光を拡散して被写体の周辺にも照射させて鮮明にすることにより、撮影される画像全体の画質を向上させることができる。また、選択された撮影モードに応じて、第１のＬＥＤ及び第２のＬＥＤのうち少なくとも一つを発光させることにより、撮影モードによって照射させるＬＥＤを変更することができ、選択された撮影モードに適した画像を撮影することができる。
【００１９】
また、第３の発明に係る複数の撮影モードは、マクロ撮影モードを含み、制御手段は、撮影手段によって撮影するときに、選択手段によってマクロ撮影モードが選択された場合に、第１のＬＥＤのみ発光させるように制御することができる。これにより、マクロ撮影モードが選択された場合には、周辺に光を拡散して照射するため、撮影された画像の中心部における照射光量過多による白飛びを防止し、画質を向上させることができる。
【００２０】
また、第３の発明に係る撮影モードは、人物撮影モードを含み、制御手段は、撮影手段によって撮影するときに、選択手段によって人物撮影モードが選択された場合に、第２のＬＥＤのみを発光させるように制御することができる。これにより、人物撮影モードが選択された場合には、反射面で反射されることなく、開口された底面から照射される第２のＬＥＤからの光のみ照射されるため、被写体となる人物に対してほとんどの光を照射することができるため、人物撮影モードにおける画質を向上させることができる。
【発明の効果】
【００２１】
本発明に係るＬＥＤ照明装置及び撮影装置によれば、第１のＬＥＤと第２のＬＥＤとからなる複数のＬＥＤによって光を照射することにより、遠方まで届く照射光量を確保でき、また、第１のＬＥＤから照射された光を反射面で反射させることにより、光を拡散して照射対象の周辺にも照射させて鮮明にし、撮影される画像全体の画質を向上させることができる、という効果が得られる。
【発明を実施するための最良の形態】
【００２２】
以下、本発明の実施の形態について詳細に説明する。なお、デジタルカメラに本発明を適用した場合について説明する。
【００２３】
図１に示すように、第１の実施の形態に係るデジタルカメラ１０の正面には、被写体像を結像させるためのレンズ２１と、撮影時に必要に応じて被写体に照射する光を発するストロボ４４と、撮影する被写体の構図を決定する場合等に用いられるファインダ２０とが設けられている。
【００２４】
また、図２に示すように、デジタルカメラ１０には、レンズを含んで構成された光学ユニット２３と、レンズの光軸後方に配設された電荷結合素子（以下、「ＣＣＤ」という。）２５と、入力されたアナログ信号に対して各種のアナログ信号処理を行なうアナログ信号処理部２６とが設けられている。
【００２５】
また、デジタルカメラ１０には、入力されたアナログ信号をデジタルデータに変換するアナログ／デジタル変換器（以下、「ＡＤＣ」という。）２８が設けられており、このデジタルデータが後述するシステムＩＣ部４０に出力され、このデジタルデータに対して各種のデジタル信号処理が行われる。
【００２６】
ＣＣＤ２５の出力端はアナログ信号処理部２６の入力端に、アナログ信号処理部２６の出力端はＡＤＣ２８の入力端に、各々接続されている。従って、ＣＣＤ２５から出力された被写体像を示すアナログ信号はアナログ信号処理部２６によって所定のアナログ信号処理が施され、ＡＤＣ２８によってデジタル画像データに変換された後にシステムＩＣ部４０に入力される。
【００２７】
また、デジタルカメラ１０には、デジタルカメラ１０全体の動作を制御するシステムＩＣ部４０と、撮影により得られた画像データ等を一時的に記憶するＳＤＲＡＭ（Ｓｙｎｃｈｒｏｎｏｕｓ  ＤＲＡＭ）で構成されるメモリ４８と、メモリ４８に対するアクセスの制御を行なうメモリインタフェース４６とが設けられている。
【００２８】
更に、デジタルカメラ１０には、例えば、可搬型のスマートメディア（Ｓｍａｒｔ  Ｍｅｄｉａ（登録商標））で構成されるメモリカード５２と、メモリカード５２をデジタルカメラ１０でアクセス可能とするための外部メモリインタフェース５０と、デジタル画像データに対する圧縮処理及び伸張処理を行なう圧縮・伸張処理回路５４とが設けられている。
【００２９】
一方、デジタルカメラ１０は、主としてＣＣＤ２５を駆動させるためのタイミング信号を生成してＣＣＤ２５に供給するタイミングジェネレータ３２を備えており、ＣＣＤ２５の駆動はシステムＩＣ部４０によりタイミングジェネレータ３２を介して制御される。
【００３０】
更に、デジタルカメラ１０にはモータ駆動部３４が設けられており、光学ユニット２３に備えられた図示しない焦点調整モータ、ズームモータ及び絞り駆動モータの駆動もシステムＩＣ部４０によりモータ駆動部３４を介して制御される。
【００３１】
更に、レリーズスイッチ、電源スイッチ、モード切替スイッチ、十字カーソルスイッチ、ズームスイッチ、メニュースイッチ等の各種スイッチ（図２では、「操作部５６」と総称。）はシステムＩＣ部４０に接続されており、システムＩＣ部４０は、操作部５６に対する操作状態を常時把握できる。
【００３２】
また、システムＩＣ部４０は、ストロボ４４に接続されており、ストロボ４４は、複数のＬＥＤ（例えば３個のＬＥＤ）から構成されるＬＥＤ照射部６０及びＬＥＤ照射部６０のＬＥＤ各々の発光を駆動するためのＬＥＤドライバ４２を備えている。システムＩＣ部４０は、ＬＥＤドライバ４２を介して、各ＬＥＤ６０の発光を制御するようになっている。また、ＬＥＤドライバ４２には、ＬＥＤ６０に大電流のパルス電流を供給するための電力を充電する充電部（図示省略）が設けられている。
【００３３】
また、デジタルカメラ１０は、デジタル画像データにより示される被写体像やメニュー画面等をＬＣＤ３８に表示させるための画像信号を生成してＬＣＤ３８に供給するＬＣＤインタフェース３６を備えている。
【００３４】
その他、ＬＣＤインタフェース３６では、画像データにより示される被写体像の画素配列に変換する画素配列変換処理、当該被写体像の画素数をＬＣＤ３８の画素数に変換する画素数変換処理、当該被写体像に対するＬＣＤ３８の特性等に応じたガンマ処理やシャープネス処理等の各種処理を実行するが、以上のようなＬＣＤインタフェース３６の動作は従来既知であるので、これ以上の説明は省略する。
【００３５】
また、デジタルカメラ１０には、例えば、充電式の電池を備え、デジタルカメラ１０の各部に電源を供給する電源部６８が設けられている。
【００３６】
ＡＤＣ２８、ＬＣＤインタフェース３６、システムＩＣ部４０、メモリインタフェース４６、外部メモリインタフェース５０、圧縮・伸張処理回路５４、及び電源部６８はシステムバスＢＵＳを介して相互に接続されている。システムＩＣ部４０は、ＬＣＤインタフェース３６、圧縮・伸張処理回路５４、及び電源部６８の作動の制御、並びにメモリ４８及びメモリカード５２へのメモリインタフェース４６ないし外部メモリインタフェース５０を介したアクセスを行なう。
【００３７】
ストロボ４４は、図３に示すように、面積が大きい方の底面が開口された四角錐台状の内部空間が形成されたリフレクタ７０を備えており、リフレクタ７０の内部側面には、反射面７０Ａが形成されている。また、リフレクタ７０の開口されていない底面の中心部にＬＥＤ６０Ａが埋め込まれるように取り付けられており、反射面７０Ａにおいて、ＬＥＤ６０Ａに対して点対称となる位置に、一対のＬＥＤ６０Ｂが埋め込まれるように取り付けられている。
【００３８】
なお、一対のＬＥＤ６０Ｂは、デジタルカメラ１０を正面に見て、反射面７０Ａの左部及び右部に配置されるように取り付けられている。
【００３９】
また、図４に示すように、ＬＥＤ６０Ａから照射された光が、反射面７０Ａで反射されることなく、開口された部分を直接通るように、ＬＥＤ６０Ａがリフレクタ７０の底面の中心部に取り付けられ、ＬＥＤ６０Ｂの各々が反射面７０Ａの傾斜角に合わせて傾斜して取り付けられ、ＬＥＤ６０Ｂの各々から照射された光がリフレクタ７０の反射面７０Ａに反射され、反射光が開口された部分を通るようになっている。
【００４０】
次に、本実施の形態に係るデジタルカメラ１０の動作について説明する。ここでは、デジタルカメラ１０によって被写体がフラッシュを用いて撮影される場合について説明する。
【００４１】
まず、デジタルカメラ１０の操作部５６のモード切替スイッチが操作され、撮影用のモードに切り替えられた後、レリーズスイッチがユーザによって押圧されると、システムＩＣ部４０がＬＥＤドライバ４２を介して、全てのＬＥＤ６０をフラッシュ発光させると共に、ＣＣＤ２５で画像信号を生成して、アナログ信号処理及びデジタル信号処理を行って、画像データをメモリ４８に記憶させる。
【００４２】
このとき、ＬＥＤ６０Ａによって照射された光は、リフレクタ７０の開口された部分を直接通って、被写体に照射され、また、ＬＥＤ６０Ｂの各々によって照射された光は、リフレクタ７０の反射面７０Ａで反射されて、反射光が開口された部分を通って拡散され、被写体や被写体の周囲（特に左方や右方）を照射して鮮明にする。なお、一対のＬＥＤ６０Ｂはリフレクタ７０の反射面７０Ａの左部及び右部に取り付けられており、撮影画像は横長であるため、ＬＥＤ６０Ｂから照射された光は、左右に拡散し、撮影画像全体において、遠方まで届く照射光量が確保される。
【００４３】
以上説明したように、第１の実施の形態に係るデジタルカメラによれば、３つのＬＥＤによって光を照射することにより、遠方まで届く照射光量を確保でき、また、反射面に取り付けられた一対のＬＥＤから照射された光を反射面で反射させることにより、光を拡散して被写体の周辺にも照射させて鮮明にし、撮影される画像全体の画質を向上させることができる。
【００４４】
また、底面の中心部に取り付けられたＬＥＤから照射された光によって、被写体の中心を照射するため、撮影される画像の中心部の画質を特に向上させることができ、反射面の左部及び右部に取り付けられた一対のＬＥＤから照射された光が左右に拡散されることによって、被写体の左方及び右方を照射して鮮明にするため、撮影される画像の左右の隅の画質を向上させることができる。
【００４５】
なお、上記の実施の形態では、リフレクタの反射面の左部及び右部に一対のＬＥＤを取り付けた場合を例に説明したが、これに限定されるものではなく、反射面の上下部に一対のＬＥＤを取り付けるようにしてもよい。この場合には、一対のＬＥＤから照射される光が上下に拡散されることによって、被写体の上下を照射して鮮明にするため、撮影される画像の上下の隅の画質を向上させることができる。
【００４６】
また、ＬＥＤをリフレクタの底面や反射面に埋め込むようにして取り付けた場合を例に説明したが、ＬＥＤを内部側面や底面の面上に取り付けるようにしてもよい。この場合には、反射面に取り付けられたＬＥＤが反射光の影にならないようにするために、ＬＥＤから照射される光の反射位置が、ＬＥＤの取り付け位置よりも開口側になるように、ＬＥＤを取り付ければよい。
【００４７】
次に、第２の実施の形態について説明する。なお、第１の実施の形態と同様の部分については、同一符号を付して説明を省略する。
【００４８】
図５に示すように、第２の実施の形態では、リフレクタ７０の反射面７０Ａに二対のＬＥＤ６０Ｂ、６０Ｃが取り付けられている点が第１の実施の形態と異なっている。
【００４９】
ストロボ１４４のリフレクタ７０の開口されていない底面の中心部にＬＥＤ６０Ａが埋め込まれるように取り付けられており、ＬＥＤ６０Ａに対して点対称であって、各取り付け位置が等間隔になるように、反射面７０Ａに二対のＬＥＤ６０Ｂ、６０Ｃが埋め込まれるように取り付けられている。
【００５０】
なお、二対のＬＥＤ６０Ｂ、６０Ｃは、デジタルカメラ１０を正面に見て、上下部及び左右部に配置されるように取り付けられている。
【００５１】
また、ＬＥＤ６０Ｃの各々から照射された光がリフレクタ７０の反射面７０Ａに反射され、反射光が開口された部分を通るようにＬＥＤ６０Ｃの各々がリフレクタ７０の反射面７０Ａに取り付けられている。
【００５２】
このように構成することにより、ＬＥＤ６０Ａによって照射された光は、リフレクタ７０の開口された部分を直接通って、被写体を照射し、また、ＬＥＤ６０Ｂの各々によって照射された光は、リフレクタ７０の反射面７０Ａで反射されて、反射光が開口された部分を通って左右に拡散され、被写体や被写体の左方及び右方を照射する。また、ＬＥＤ６０Ｃの各々によって照射された光は、リフレクタ７０の反射面７０Ａで反射されて上下に拡散され、被写体や被写体の上方及び下方を照射して鮮明にする。
【００５３】
以上説明したように、第２の実施の形態に係るデジタルカメラによれば、５つのＬＥＤによって光を照射することにより、遠方まで届く照射光量を確保でき、また、反射面に取り付けられた二対のＬＥＤから照射された光を反射面で反射させることにより、光を拡散して被写体の上下左右の四方にも照射させて鮮明にし、撮影される画像全体の画質を向上させることができる。
【００５４】
また、底面の中心部に取り付けられたＬＥＤから照射された光によって、被写体の中心を照射するため、撮影される画像の中心部の画質を特に向上させることができ、反射面の上下部及び左右部に取り付けられた二対のＬＥＤから照射された光が上下左右に拡散されることによって、被写体の上下左右の四方を照射して鮮明にするため、撮影される画像の上下及び左右の隅の画質を向上させることができる。
【００５５】
なお、上記の実施の形態では、リフレクタの内部空間が四角錐台状を形成している場合を例に説明したが、図６に示すように、リフレクタの内部空間が円錐台状を形成していてもよい。この場合にも、内部側面に反射面を形成し、反射面において、取り付けられた底面に取り付けられたＬＥＤに対して点対称となる位置に二対のＬＥＤを取り付ければよい。これにより、二対のＬＥＤから照射された光が反射面で反射されて、反射光が上下左右の四方に拡散するため、被写体の上下左右の四方を照射することができる。
【００５６】
次に、第３の実施の形態について説明する。なお、第１の実施の形態と同様の部分については、同一符号を付して説明を省略する。
【００５７】
図７（Ａ）に示すように、第３の実施の形態では、全てのＬＥＤがリフレクタ７０の底面に取り付けられている点が第１の実施の形態と異なっている。
【００５８】
ストロボ２４４のリフレクタ７０の開口されていない底面の中心部にＬＥＤ２６０Ａが埋め込まれるように取り付けられており、ＬＥＤ２６０Ａに対して点対称となるように、一対のＬＥＤ２６０Ｂが底面に埋め込まれるように取り付けられている。
なお、一対のＬＥＤ２６０Ｂは、デジタルカメラ１０を正面に見て、リフレクタ７０の底面の左部及び右部に配置されるように取り付けられている。
【００５９】
また、図８に示すように、ＬＥＤ２６０Ｂの各々から照射された光がリフレクタ７０の反射面７０Ａに反射され、反射光が開口された部分を通るようにＬＥＤ２６０Ｂの各々がリフレクタ７０の底面に取り付けられている。
【００６０】
このように構成することにより、ＬＥＤ２６０Ａによって照射された光は、リフレクタ７０の開口された部分を直接通って、被写体を照射し、また、ＬＥＤ２６０Ｂの各々によって照射された光は、リフレクタ７０の反射面７０Ａで反射されて、反射光が開口された部分を通って左右に拡散され、被写体や被写体の左方及び右方を照射して鮮明にする。
【００６１】
以上説明したように、第３の実施の形態に係るデジタルカメラによれば、３つのＬＥＤによって光を照射することにより、遠方まで届く照射光量を確保でき、また、中心部のＬＥＤに対して点対称に取り付けられた一対のＬＥＤから照射された光を反射面で反射させることにより、光を拡散して照射対象の周辺にも照射させて鮮明にし、撮影される画像全体の画質を向上させることができる。
【００６２】
また、底面の中心部に取り付けられたＬＥＤから照射された光によって、被写体の中心を照射するため、撮影される画像の中心部の画質を特に向上させることができ、中心部のＬＥＤに対して点対称に取り付けられた一対のＬＥＤから照射された光が左右に拡散されることによって、被写体の左方及び右方を照射して鮮明にするため、撮影される画像の左右の隅の画質を向上させることができる。
【００６３】
なお、上記の実施の形態では、リフレクタの中心部及び左右部に３つのＬＥＤを取り付けた場合を例に説明したが、これに限定されるものではなく、図７（Ｂ）に示すように、底面の中心部に複数のＬＥＤを取り付けるようにしてもよい。この場合には、少なくとも一つのＬＥＤから照射された光が、反射面で反射されることなく、開口された部分から照射されるようにＬＥＤを取り付け、残りのＬＥＤから照射された光が、反射面で反射され、拡散して照射されるようにＬＥＤを取り付ければよい。
【００６４】
次に、第４の実施の形態について説明する。なお、第１の実施の形態と同様の部分については、同一符号を付して説明を省略する。
【００６５】
第４の実施の形態では、撮影モードによって発光されるＬＥＤが異なる点が第１の実施の形態と異なる。
【００６６】
第４の実施の形態に係るデジタルカメラの構成は、第１の実施の形態と同様であるため、説明を省略する。
【００６７】
次に、第４の実施の形態の作用について説明する。なお、フラッシュを用いた撮影を行う場合を例に説明する。
【００６８】
まず、ユーザがデジタルカメラ１０の操作部５６のメニュースイッチを操作して、複数の撮影モードの中から所望の撮影モードを選択する。ここで、撮影モードとしては、例えば、通常の撮影を行う通常撮影モード、被写体に接近した状態で撮影する場合に適した撮影モードであるマクロ撮影モード、人物を撮影するときに適した撮影モードである人物撮影モードなどがある。
【００６９】
そして、ユーザがデジタルカメラ１０の操作部５６のモード切替スイッチを操作し、撮影用のモードに切り替えられると、システムＩＣ部４０によって、図９に示す撮影処理ルーチンが実行される。
【００７０】
ステップ３００において、操作部５６のレリーズスイッチが押圧されたか否かを判定し、ユーザによってレリーズスイッチが押圧されると、ステップ３００からステップ３０２へ進み、どの撮影モードが選択されているかを判定し、通常撮影モードが選択されていた場合には、ステップ３０４において、全てのＬＥＤ６０Ａ、６０Ｂを発光させるための発光制御信号をＬＥＤドライバ４２に出力して、ＬＥＤ６０Ａ、６０Ｂを発光させて、被写体に光を照射させると共に、被写体の左方及び右方に光を照射させて、ステップ３１０へ進む。
【００７１】
また、ステップ３０２において、マクロ撮影モードが選択されていたと判定されると、ステップ３０６において、底面の中心部に取り付けられたＬＥＤ６０Ａは発光させずに、反射面７０Ａに取り付けられた一対のＬＥＤ６０Ｂのみを発光させるように発光制御信号をＬＥＤドライバ４２に出力して、一対のＬＥＤ６０Ｂのみを発光させて、被写体の左方及び右方に光を照射させて、ステップ３１０へ移行する。また、人物撮影モードが選択されていた場合には、ステップ３０８において、反射面７０Ａに取り付けられた一対のＬＥＤ６０Ｂを発光させずに、底面の中心部に取り付けられたＬＥＤ６０Ａのみを発光させるように発光制御信号をＬＥＤドライバ４２に出力して、ＬＥＤ６０Ａのみを発光させて、被写体に光を照射させて、ステップ３１０へ移行する。
【００７２】
そして、ステップ３１０では、撮影処理を行い、光学ユニット２３を介して、ＣＣＤ２５において受光し、生成された画像信号に対してアナログ信号処理及びデジタル信号処理を行って、画像データをメモリ４８に記憶させて、撮影処理ルーチンを終了する。
【００７３】
以上説明したように第４の実施の形態に係るデジタルカメラによれば、選択された撮影モードに応じて、光を照射させるＬＥＤを変更することができ、選択された撮影モードに適した画像を撮影することができる。
【００７４】
また、マクロ撮影モードが選択された場合には、左方及び右方に光を拡散して照射するため、撮影された画像の中心部における照射光量過多による白飛びを防止し、画質を向上させることができる。
【００７５】
また、人物撮影モードが選択された場合には、反射面で反射されることなく、開口された底面から照射されるＬＥＤからの光のみ照射されるため、被写体となる人物を中心に光を照射して、人物を鮮明にすることができるため、人物撮影モードにおける画質を向上させることができる。
【図面の簡単な説明】
【００７６】
【図１】本発明の第１の実施の形態に係るデジタルカメラの構成を示す正面図である。
【図２】本発明の第１の実施の形態に係るデジタルカメラの電気系の主要構成を示すブロック図である。
【図３】本発明の第１の実施の形態に係るストロボの構成を示す正面図である。
【図４】本発明の第１の実施の形態に係るリフレクタ及びＬＥＤの構成を示す断面図である。
【図５】本発明の第２の実施の形態に係るストロボの構成を示す正面図である。
【図６】本発明の第２の実施の形態に係るストロボの他の構成を示す正面図である。
【図７】本発明の第３の実施の形態に係るストロボの構成を示す正面図である。
【図８】本発明の第３の実施の形態に係るリフレクタ及びＬＥＤの構成を示す断面図である。
【図９】本発明の第４の実施の形態に係るデジタルカメラの撮影処理ルーチンの内容を示すフローチャートである。
【符号の説明】
【００７７】
１０   デジタルカメラ
２５  ＣＣＤ
４０   システムＩＣ部
４２   ＬＥＤドライバ
４４、１４４、２４４ ストロボ
５６   操作部
６０   ＬＥＤ照射部
６０Ａ、６０Ｂ、６０Ｃ、２６０Ａ、２６０Ｂ  ＬＥＤ
７０   リフレクタ
７０Ａ 反射面
【図１】
2007187914.tif 000003
【図２】
2007187914.tif 000004
【図３】
2007187914.tif 000005
【図４】
2007187914.tif 000006
【図５】
2007187914.tif 000007
【図６】
2007187914.tif 000008
【図７】
2007187914.tif 000009
【図８】
2007187914.tif 000010
【図９】
2007187914.tif 000011